(57)【要約】【課題】  収納設備から機器が貸し出された場合でも、機器を持ち出した人物を特定できるようにした収納機器の貸出管理システムを提供する。【解決手段】  収納設備は、情報記憶媒体からＩＤ情報と、書換記憶エリア内の情報とを読み取り、書換記憶エリア内に情報がない場合、ＩＤ情報の認証が受けられた際に扉の施錠を解錠させ、書換記憶エリアに借入情報を書込み、収納設備の貸出状況情報記憶エリアに貸出情報を書き込む貸出時処理プログラムと、情報記憶媒体に終了情報が書き込まれている場合、扉の施錠を解錠させ、終了情報と貸出情報とを消去させる返却時処理プログラムとを有し、機器は、情報記憶媒体からＩＤ情報と借入情報が読み取れた場合、ＩＤ情報の認証処理を行い認証された場合、機器の使用を可能に制御させる認証処理プログラムと、該機器が使用終了した際、情報記憶媒体の書換記憶エリアに終了情報を書き込む返却時処理プログラムとを備える。【選択図】        図１
2008257408.tif 000002
【特許請求の範囲】
【請求項１】
固有のＩＤ情報が記憶されているＩＤ情報記憶エリアと、情報が書換え可能に記憶される書換記憶エリアとを有する情報記憶媒体と、
前記情報記憶媒体に対する情報の読み取り及び書き込みを行う手段と、備えられた扉の施解錠状態を制御する施解錠手段と、貸出時処理プログラム及び返却時処理プログラムとが記憶されていると共に、収納された機器の貸出状況情報を記憶する貸出状況情報記憶エリアが設けられた記憶手段を有する収納設備と、
前記情報記憶媒体に対する情報の読み取り及び書き込みを行う手段と、認証処理プログラム及び利用終了時処理プログラムとが記憶された記憶手段とを有する機器と、
からなる収納機器の貸出管理システムであって、
前記収納設備は、前記情報記憶媒体に記憶されているＩＤ情報と、前記書換記憶エリア内の情報とを読み取った際に、前記書換記憶エリア内に情報が記憶されていない状態である場合に、前記ＩＤ情報の認証処理を行い、認証が受けられた場合に前記扉の施錠を解錠させ、更に、前記情報記憶媒体の書換記憶エリアに借入情報の書込処理を行わせると共に、該収納設備の前記貸出状況情報記憶エリアに貸出情報の書き込み処理を行わせる貸出時処理プログラムと、前記情報記憶媒体から書換記憶エリア内の情報とを読み取った際に、終了情報が書き込まれている場合に、前記扉の施錠を解錠させ、更に、前記情報記憶媒体の書換記憶エリアに記憶されている終了情報と、該収納設備の前記貸出状況情報記憶エリアに記憶されている貸出情報とを消去させる処理を行わせる返却時処理プログラムとを有し、
前記機器は、前記情報記憶媒体からＩＤ情報と、前記書換記憶エリア内の情報とを読み取った際に、借入情報が読み取れた場合に、前記ＩＤ情報の認証処理を行い、前記ＩＤ情報が認証された場合に、該機器の使用を可能な状態に制御させる認証処理プログラムと、また、該機器の使用が終了された際に、前記情報記憶媒体の書換記憶エリアに該機器の使用が終了したことを示す終了情報を書き込む処理を行わせる返却時処理プログラムとを備える、
ことを特徴とする収納機器の貸出管理システム。
【請求項２】
前記収納設備の記憶手段の貸出状況情報記憶エリアに書き込まれる貸出情報が、個人を特定可能なＩＤ情報を含む情報であることを特徴とする請求項１記載の収納機器の貸出管理システム。
【請求項３】
前記収納設備が、電子施錠装置を備えた電子ロッカーであることを特徴とする請求項１記載の収納機器の貸出管理システム。
【請求項４】
前記収納設備には、前記機器が貸し出されている場合に、貸し出されていることを示す情報を表示する手段が備えられていることを特徴とする請求項１記載の収納機器の貸出管理システム。
【発明の詳細な説明】
【技術分野】
【０００１】
本発明は、電子施錠により開閉扉の施解錠が管理されている電子ロッカーなどの収納設備において、そこに収納保管されている機器の貸出返却管理を確実に行うための収納機器の貸出管理システムに関する。
【背景技術】
【０００２】
例えば、会社などで社員に対して、共用のノートパソコンの機器を必要に応じてその都度貸し出すことが行われる場合がある。
これらの資産管理の対象となる機器は、固定資産としての管理が必要であることから、貸出した場合には確実に返却されるように貸出管理を行い、紛失などの事故が生じないようにする必要がある。
従来、このようなことからも、資産管理の対象となる各種ＯＡ機器などの機器の設置状況を、簡単に効率的に確認できるようにした資産管理システムが知られている。（例えば、特許文献１参照）
【０００３】
【特許文献１】特開２００４−２９５４０６号公報
【０００４】
しかしながら、上記従来の資産管理システムでは、オフィス機器に予め無線タグを貼り付け、またゲートに送受信装置を取り付けて機器の場所を把握することが出来るように構成されているものの、貸し出された機器を誰が借りているのかが調べられないために、種々の都合で、貸し出された機器を戻してほしい場合でも簡単に探し出せないという問題がある。
例えば、固定資産の管理を行う場合には、固定資産として登録されている全ての機器の現物が実際にあるか確認する必要があるが、ロッカーなどの収納設備から貸し出された機を誰が借りているのかわからないために確認作業に支障が生じるという問題がある。
また、ロッカーなどの収納設備に保管されている機器が、持ち出されて返却されない場合には、持ち出した人物を特定して返してもらう場合でも、機器を持ち出した人物が特定できないという問題がある。
【発明の開示】
【発明が解決しようとする課題】
【０００５】
そこで、本発明は、ロッカーなどの収納設備に保管された機器が貸し出され、また持ち出された場合でも、機器を持ち出した人物を特定できるようにして、機器の紛失を防止できるようにした収納機器の貸出管理システムを提供する。
【課題を解決するための手段】
【０００６】
本発明の収納機器の貸出管理システムは、固有のＩＤ情報が記憶されているＩＤ情報記憶エリアと、情報が書換え可能に記憶される書換記憶エリアとを有する情報記憶媒体と、  前記情報記憶媒体に対する情報の読み取り及び書き込みを行う手段と、備えられた扉の施解錠状態を制御する施解錠手段と、貸出時処理プログラム及び返却時処理プログラムとが記憶されていると共に、収納された機器の貸出状況情報を記憶する貸出状況情報記憶エリアが設けられた記憶手段を有する収納設備と、前記情報記憶媒体に対する情報の読み取り及び書き込みを行う手段と、認証処理プログラム及び利用終了時処理プログラムとが記憶された記憶手段とを有する機器と、からなる収納機器の貸出管理システムであって、前記収納設備は、前記情報記憶媒体に記憶されているＩＤ情報と、前記書換記憶エリア内の情報とを読み取った際に、前記書換記憶エリア内に情報が記憶されていない状態である場合に、前記ＩＤ情報の認証処理を行い、認証が受けられた場合に前記扉の施錠を解錠させ、更に、前記情報記憶媒体の書換記憶エリアに借入情報の書込処理を行わせると共に、該収納設備の前記貸出状況情報記憶エリアに貸出情報の書き込み処理を行わせる貸出時処理プログラムと、前記情報記憶媒体から書換記憶エリア内の情報とを読み取った際に、終了情報が書き込まれている場合に、前記扉の施錠を解錠させ、更に、前記情報記憶媒体の書換記憶エリアに記憶されている終了情報と、該収納設備の前記貸出状況情報記憶エリアに記憶されている貸出情報とを消去させる処理を行わせる返却時処理プログラムとを有し、前記機器は、前記情報記憶媒体からＩＤ情報と、前記書換記憶エリア内の情報とを読み取った際に、借入情報が読み取れた場合に、前記ＩＤ情報の認証処理を行い、前記ＩＤ情報が認証された場合に、該機器の使用を可能な状態に制御させる認証処理プログラムと、また、該機器の使用が終了された際に、前記情報記憶媒体の書換記憶エリアに該機器の使用が終了したことを示す終了情報を書き込む処理を行わせる返却時処理プログラムとを備える、ことを特徴とする。
【０００７】
また、本発明の収納機器の貸出管理システムは、前記収納設備の記憶手段の貸出状況情報記憶エリアに書き込まれる貸出情報が、個人を特定可能なＩＤ情報を含む情報であることを特徴とする。
【０００８】
更に、本発明の収納機器の貸出管理システムは、前記収納設備が、電子施錠装置を備えた電子ロッカーであることを特徴とする。
【０００９】
また、本発明の収納機器の貸出管理システムは、前記収納設備には、前記機器が貸し出されている場合に、貸し出されていることを示す情報を表示する手段が備えられていることを特徴とする。
【発明の効果】
【００１０】
本発明の収納機器の貸出管理システムは、ロッカーなどの収納設備に保管された機器が貸し出され、また持ち出された場合でも、収納設備の記憶手段に機器の貸出情報が記憶されているので、機器を持ち出した人物を特定でき、機器の紛失を防止できるという効果がある。
【００１１】
また、収納設備の記憶手段の貸出状況情報記憶エリアに書き込まれる貸出情報が、個人を特定可能なＩＤ情報を含む情報であるので、ＩＤ情報から機器を持ち出した人物を特定でき、機器の紛失を防止できるという効果がある。
【００１２】
更に、収納設備が、電子施錠装置を備えた電子ロッカーであるので、電子ロッカーに収納した機器を管理として、機器を持ち出した人物を特定でき、機器の紛失を防止できるという効果があり、更に、機器が貸し出されている場合に、貸し出されていることを示す情報を表示する手段が備えられているので、機器の貸出状況が直ぐにわかるという効果がある。
【発明を実施するための最良の形態】
【００１３】
以下、本発明の実施形態に係る収納機器の貸出管理システムを、図面に基づいて詳細に説明する。
実施形態に係る収納機器の貸出管理システムにおいては、収納設備として電子施錠装置を備えた電子ロッカーを使用した場合、また、情報記憶媒体として非接触方式のＩＣカードを使用した場合、更に、電子ロッカー内に貸出用として保管されている機器として、パソコンを使用した場合について説明するが、本発明は、これらに限定されるものではなく、種々の収納設備や種々の公知の情報記憶媒体、種々の機器に適応されるものである。
【００１４】
図１には、利用者である社員１が、電子ロッカー２内に保管されているパソコンを借りきて、電子ロッカー２に近づいた状態が示されている。
社員１には、予め発行された社員証用のＩＣカード３を所持しており、このＩＣカード３に記憶されているＩＤ情報を読み取らせて認証処理を行い、認証が受けられた場合に、電子ロッカー２に備えられている扉２ａの施解錠装置を解錠できるようにしてある。
また、扉２ａの施解錠装置が解錠された場合には、ＩＣカード３に借入情報が書き込まれ記憶される。
社員１が所持するＩＣカード３は、電子ロッカー２内からパソコンを借りる場合と、借りたパソコンを電子ロッカー２内に返却した場合とに使用される。
また、ＩＣカード３に情報の書き込みを行う機能を有するリーダライタなどの読取書込手段４が備えられている。
【００１５】
図２には、利用者である社員１が、電子ロッカー２の扉２ａを開けた状態が示されている。
電子ロッカー２内には、固定資産であるパソコン５が保管されており、社員１が認証を受けられ、電子ロッカー２に備えられている扉２ａの施解錠装置が解錠されたことで、扉２ａを開いて共通使用するために設けられたパソコン５を持ち出せるようになる。
また、電子ロッカー２の扉２ａを閉めることで、施解錠装置が自動的に施錠されように構成されている。
【００１６】
図３には、電子ロッカー２内に備えられているパソコン５が使用される場合の状態が示されている。
パソコン５には、ＩＣカード３に情報の書き込みを行う機能を有するリーダライタなどの読取書込手段５ａが備えられている。
読取書込手段５ａは、パソコン５に内蔵された構成でもよいが、図３に示す場合には、リーダライタがコードで接続されている場合が示されている。
社員１は、パソコン５を使用する際に、ＩＣカード３に記憶されている情報を読取書込手段５ａで読み取らせ、更に、パソコン５の使用が終了した際に、読取書込手段５ａでＩＣカード３に終了情報の書き込みを行う必要がある。
【００１７】
次に、図４に基づいて、ＩＣカード３と電子ロッカー２との構成を説明する。
ＩＣカード３は、情報が書換え可能に記憶される書換記憶エリア６ａと固有のＩＤ情報が記憶されているＩＤ情報記憶エリア６ｂとを有する記憶手段６を備えている。
書換記憶エリア６ａには、電子ロッカー２からパソコン５が貸し出される際に、電子ロッカー２の読取書込手段４により借入情報が書き込まれ、またパソコン５の使用が終了された際に、パソコン５の読取書込手段５ａにより終了情報が借入情報に上書きされて記憶される。
そして、更にパソコン５を電子ロッカー２に返却した際に、電子ロッカー２の読取書込手段４により記憶されている借入情報を消去させる情報が送信されて、記憶情報の消去が行われる。
また、ＩＤ情報記憶エリア６ｂには、社員番号などの固有のＩＤ情報が予め記憶されており、この情報は書換えできない状態として、読取専用に記憶されている。
【００１８】
次に、電子ロッカー２には、読取書込手段４、施解錠装置からなる施解錠手段７、貸出時処理プログラム８及び返却時処理プログラム９とが記憶されていると共に、収納された機器の貸出状況情報を記憶する貸出状況情報記憶エリア１０ａを有する記憶手段１０と、電子ロッカー内に備えられている機器が貸し出されている場合に、貸し出されていることを示す情報を表示手段１５を備えている。
記憶手段１０に記憶されている貸出時処理プログラムは、読取書込手段４によりＩＣカード３に記憶されているＩＤ情報と、ＩＣカード３の書換記憶エリア６ａ内の情報とを読み取った際に、書換記憶エリア６ａ内に情報が記憶されていない状態である場合に、読み取ったＩＤ情報の認証処理を行わせ、認証が受けられた場合に施解錠手段７により扉２ａの施錠を解錠させ、更に、ＩＣカード３の書換記憶エリア６ａに借入情報の書込処理を行わせると共に、電子ロッカー２の記憶手段１０の貸出状況情報記憶エリア１０ａに貸出情報の書き込み処理を行わせる。
【００１９】
このＩＣカード３の記憶手段６の書換記憶エリア６ａに書き込まれる借入情報とは、電子ロッカー２からパソコン５を借りていることを示す予め定めた所望の情報であればよいが、この借入情報として、パソコン５が保管されている電子ロッカー２を特定することができる固有情報も含めて書き込むことが好ましい。
また、電子ロッカー２の記憶手段１０の貸出状況情報記憶エリア１０ａに書き込まれる貸出情報とは、電子ロッカー２からパソコン５が貸し出されていることを示す予め定めた情報であり、この貸出情報にはＩＣカード３から読み取られた個人を特定可能なＩＤ情報を含む情報である。
貸出状況情報記憶エリア１０ａにＩＤ情報を書き込み記憶させておくことで、電子ロッカー２からパソコン５が貸し出されている場合でも、そのＩＤ情報を読み取ることで、誰にパソコン５が貸し出されているのかを調べることができるようになっている。
【００２０】
また、電子ロッカー２の記憶手段１０に記憶されている返却時処理プログラム９は、読取書込手段４によりＩＣカード３に記憶されているＩＤ情報と、ＩＣカード３の書換記憶エリア６ａ内の情報とを読み取った際に、書換記憶エリア６ａ内に終了情報が書き込まれている場合に、施解錠手段７により扉２ａの施錠を解錠させ、更に、ＩＣカード３の書換記憶エリア６ａに記憶されている終了情報と、電子ロッカー２の貸出状況情報記憶エリア１０ａに記憶されている貸出情報とを消去させる処理を行わせる。
つまり、ＩＣカード３の書換記憶エリア６ａ内に終了情報が書き込まれていることは、そのＩＣカード３の用いて電子ロッカー２からパソコン５を借りた者であることが認定できるため、書換記憶エリア６ａ内に終了情報が書き込まれている場合には、扉２ａの施錠を解錠できるように制御される。
【００２１】
また、電子ロッカー２には、記憶手段１０の貸出状況情報記憶エリア１０ａに記憶されている貸出情報を確認する際に使用するための表示手段を設けておいてもよい。
また、貸出状況情報記憶エリア１０ａに記憶されている貸出情報は、リーダライタで読取可能に記憶させておくことで、リーダライタで世も取った貸出情報をパソコンなどの装置の表示手段に表示できるようにしておいてもよい。
いずれにしても、貸出状況情報記憶エリア１０ａに記憶されている貸出情報は、種々の方法で表示させて確認可能に記憶される。
【００２２】
次に、図５に基づいて、ＩＣカード３とパソコン５との構成を説明する。
パソコン５には、読取書込み手段１１と、認証処理プログラム１３と利用終了時処理プログラム１４が記憶された記憶手段１２が備えられている。
認証処理プログラム１３は、ＩＣカード３からＩＤ情報と、ＩＣカード３の記憶手段６の書換記憶エリア６ａ内に記憶されている情報とを読み取った際に、書換記憶エリア６ａから借入情報が読み取れた場合に、ＩＤ情報の認証処理を行い、ＩＤ情報が認証された場合に、パソコン５の使用を可能な状態に制御させる処理を行わせる。
また、返却時処理プログラム１４は、パソコン５の使用が終了された際に、ＩＣカード３の記憶手段６の書換記憶エリア６ａに、パソコン５の使用が終了したことを示す終了情報を書き込む処理を行わせる。
書換記憶エリア６ａに終了情報を書き込ことで、パソコン５を電子ロッカー２に返却される際に、電子ロッカー２側が終了情報を読み取ることで、電子ロッカー２が返却時処理プログラム９に基づく処理を行わせることができる。
【００２３】
次に、図６乃至図９に基づいて、実施形態に係る収納機器の貸出管理システムの処理手順を具体的に説明する。
まず、図６（ａ）に、電子ロッカー２からパソコン５が貸し出される前段階の状態図、図６（ｂ）に、電子ロッカー２からパソコン５を貸し出す段階の電子ロッカー２とＩＣカード３の関係を示す図、図６（ｃ）に、借りたパソコン５を使用終了した段階のＩＣカード３とパソコン５の関係を示す図、図６（ｄ）に、電子ロッカー２にパソコン５を返す段階の電子ロッカー２とＩＣカード３の関係を示す図が示されている。
また、図７には、電子ロッカー２からパソコン５が貸し出す際の処理を示すフロー図、図８には、借りたパソコン５を使用する際のＩＣカード３との処理を示すフロー図、図９は、電子ロッカー２にパソコン５を返却する際の処理を示すフロー図が示されている。
【００２４】
まず、図６（ａ），（ｂ）と図７に基づいて、電子ロッカー２からパソコン５が貸し出される際の処理手順について説明する。
図６（ａ）に示すように、電子ロッカー２にパソコン５が保管されている場合には、電子ロッカー２の記憶手段１０の貸出状況情報記憶エリア１０ａ        には情報が記憶されていない。
つまり、貸出状況として、貸出情報が書き込まれていない状態にある。
そして、社員１が電子ロッカー２からパソコン５を借りる場合には、図６（ｂ）と図７に示すように、まず、電子ロッカー２の読取書込手段４で、ＩＣカード３に記憶されているＩＤ情報と、書換記憶エリア６ａ内の情報を読み取らせる。（ステップＳ１）
電子ロッカー２では、書換記憶エリア６ａ内に情報が書き込まれているか否かの判定を行う。（ステップＳ２）
【００２５】
そして、書換記憶エリア６ａ内に情報が書き込まれていないと判定された場合には、読み取ったＩＤ情報に対する認証処理を行う。（ステップＳ３）
次に、認証処理で認証が受けられた場合には、扉２ａの施錠を解錠させる。（ステップＳ４）
これにより、社員１は、パソコン５を取り出すことができる。
更に、電子ロッカー２からＩＣカード３に対して、パソコン５を借りたことを示す借入情報を書込む。（ステップＳ５）
ＩＣカード３の記憶手段６の書換記憶エリア６ａに借入情報を記憶させる。（ステップＳ６）
図６（ｂ）では、ＩＣカード３の記憶手段６の書換記憶エリア６ａに借入情報として、電子ロッカーを特定することができる情報として「Ｒ１」が記憶され、更に借入したことを示す情報として「解錠」とが記憶された状態が示されている。
【００２６】
更に、電子ロッカー２の記憶手段１０の貸出状況情報記憶エリア１０ａに貸出情報を書き込み記憶させる。（ステップＳ７）
図６（ｂ）では、電子ロッカー２の記憶手段１０の貸出状況情報記憶エリア１０ａに貸出情報として、「貸出中、０００００１」の情報が記憶されている。
この「０００００１」は、ＩＣカード３から読み取られた社員番号などのＩＤ情報であり、パソコン５が返却されるまでは記憶されており、パソコン５を誰が借りているのかを調べたい場合には、貸出状況情報記憶エリア１０ａに記憶されているＩＤ情報を読み取ることで借入者を特定可能になっている。
更に、電子ロッカー２の表示手段１５に「貸出中」の表示を行う。（ステップＳ８）
【００２７】
次に、図６（ｃ）と図８に基づいて、電子ロッカー２から貸し出されたパソコン５が使用される際の処理手順について説明する。
社員１がパソコン５使用する場合には、図６（ｃ）に示すように、パソコン５の読取書込手段１１で、ＩＣカード３に記憶されているＩＤ情報と、書換記憶エリア６ａ内の情報を読み取らせる。（ステップＳ１１）
パソコン５では、書換記憶エリア６ａ内から借入情報が読み取られたか否かの判定を行う。（ステップＳ１２）
【００２８】
そして、書換記憶エリア６ａから借入情報が読み取れた場合には、読み取ったＩＤ情報に対する認証処理を行う。（ステップＳ１３）
次に、認証処理で認証が受けられた場合には、パソコン５の使用を可能な状態に制御する。（ステップＳ１４）
そして、パソコン５の電源が切られ、その使用が終了される際に（ステップＳ１５）、パソコン５からＩＣカード３に対して、終了情報が書き込まれる。（ステップＳ１６）
ＩＣカード３は、パソコン５から受信した終了情報を書換記憶エリア６ａ内に上書きして記憶させる。（ステップＳ１７）
図６（ｃ）では、「Ｒ１，利用終了」との情報が、電子ロッカー２からパソコン５を借りた際に記憶された「Ｒ１，解錠」の情報に上書きされた状態が示されている。
【００２９】
次に、図６（ｄ）と図９に基づいて、電子ロッカー２にパソコン５を返却する際の処理手順について説明する。
社員１が電子ロッカー２にパソコン５を返却する場合には、電子ロッカー２の読取書込手段４で、ＩＣカード３に記憶されているＩＤ情報と、書換記憶エリア６ａ内の情報を読み取らせる。（ステップＳ２１）
電子ロッカー２では、書換記憶エリア６ａ内から終了情報が読み取られたか否かの判定を行う。（ステップＳ２２）
そして、書換記憶エリア６ａから終了情報が読み取れた場合には、読み取ったＩＤ情報に対する認証処理を行う。（ステップＳ２３）
【００３０】
次に、認証処理で認証が受けられた場合には、扉２ａの施錠を解錠させる。（ステップＳ２４）
これにより、社員１は、パソコン５を電子ロッカー２内に返却することができる。
更に、電子ロッカー２からＩＣカード３に対して、パソコン５を返却したことを示す終了情報を消去させる指示信号を送信する。（ステップＳ２５）
ＩＣカード３の記憶手段６の書換記憶エリア６ａから終了情報を消去させる。（ステップＳ２６）
つまり、図６（ｃ）において、終了情報として「Ｒ１，利用終了」との情報が記憶されているが、この「Ｒ１，利用終了」の情報を消去させる。
更に、電子ロッカー２の記憶手段１０の貸出状況情報記憶エリア１０ａから記憶されている貸出情報を消去させる。（ステップＳ２７）
つまり、図６（ｂ）において、貸出情報として「貸出中  ０００００１」との情報が記憶されているが、この「貸出中  ０００００１」の情報を消去させる。
更に、電子ロッカー２の表示手段１５に表示されている「貸出中」の表示を消去させる。（ステップＳ２８）
【００３１】
上記の処理により、ＩＣカード３の記憶手段６の書換記憶エリア６ａは、パソコン５を借りる前の状態、つまり情報が記憶されていない状態となり、また、電子ロッカー２の記憶手段１０の貸出状況情報記憶エリア１０ａも、パソコン５を貸し出す前の状態、つまり情報が記憶されていない状態となる。
これにより、新たに他の社員が電子ロッカー２からパソコン５を借りる場合には、上記と同様の処理を行うことで、パソコン５の貸出返却の管理を行えるように構成されている。
【００３２】
また、上記実施形態では、電子施錠装置を備えた電子ロッカーにパソコンを貸出可能に保管された場合について説明したあるが、本発明はこれに限定されるものではなく、種々の機器を収納する設備と、保管される種々の機器に適応できるシステムである。
また、情報記憶媒体も上記実施形態に示したＩＣカードに限定されるものではなく、同様の機能を有する情報記憶媒体を用いることができるものである。
【図面の簡単な説明】
【００３３】
【図１】本発明の実施形態に係る収納機器の貸出管理システムにおいて、収納設備である電子ロッカーの扉を開ける前の状態を示す図である。
【図２】本発明の実施形態に係る収納機器の貸出管理システムにおいて、収納設備である電子ロッカーの扉を開けて、収納機器であるパソコンを取り出す状態を示す図である。
【図３】本発明の実施形態に係る収納機器の貸出管理システムにおいて、収納機器であるパソコンを使用する状態を示す図である。
【図４】本発明の実施形態に係る収納機器の貸出管理システムにおいて、収納設備である電子ロッカーと、情報記憶媒体であるＩＣカードとの関係を示すブロック図である。
【図５】本発明の実施形態に係る収納機器の貸出管理システムにおいて、収納機器であるパソコンと、情報記憶媒体であるＩＣカードとの関係を示すブロック図である。
【図６】本発明の実施形態に係る収納機器の貸出管理システムにおいて、貸出から返却までの処理を説明する図である。
【図７】本発明の実施形態に係る収納機器の貸出管理システムにおいて、収納設備である電子ロッカーから、収納機器であるパソコンを貸し出す際の処理手順を示すフロー図である。
【図８】本発明の実施形態に係る収納機器の貸出管理システムにおいて、収納機器であるパソコンを使用する際の処理手順を示すフロー図である。
【図９】本発明の実施形態に係る収納機器の貸出管理システムにおいて、収納設備である電子ロッカーに、収納機器であるパソコンを返却する際の処理手順を示すフロー図である。
【符号の説明】
【００３４】
１  社員
２  電子ロッカー
２ａ  扉
３  ＩＣカード
４，１１，５ａ  読取書込手段
５  パソコン
６，１０，１２  記憶手段
６ａ  書換記憶エリア
６ｂ  ＩＤ情報記憶エリア
７  施解錠手段
８  貸出時処理プログラム
９  返却時処理プログラム
１０ａ  貸出状況情報記憶エリア
１３  認証処理プログラム
１４  利用終了時処理プログラム
１５  表示手段
【図１】
2008257408.tif 000003
【図２】
2008257408.tif 000004
【図３】
2008257408.tif 000005
【図４】
2008257408.tif 000006
【図５】
2008257408.tif 000007
【図６】
2008257408.tif 000008
【図７】
2008257408.tif 000009
【図８】
2008257408.tif 000010
【図９】
2008257408.tif 000011